【手続補正書】
【提出日】平成20年8月26日(2008.8.26)
【手続補正１】
【補正対象書類名】特許請求の範囲
【補正対象項目名】全文
【補正方法】変更
【補正の内容】
【特許請求の範囲】
【請求項１】
ネットワーク通信手段を介してネットワークデバイスを検出し、当該検出されたネットワークデバイスに対応するデバイスドライバを自動インストールするＯＳを搭載した情報処理装置であって、
デバイスドライバをインストールしようとしているネットワークデバイスを一時的に認識するための識別情報を入力する入力手段と、
ネットワーク上のネットワークデバイスが発行するネットワーク参加メッセージを前記ネットワーク通信手段を介して受信した場合、当該ネットワーク参加メッセージ中に、前記入力手段で入力された識別情報と一致する識別情報が記述されているか否かを判断する判断手段と、
該判断手段で前記入力手段で入力した識別情報と一致する識別情報が前記ネットワーク参加メッセージ中に記述されていないと判断した場合には、当該ネットワーク参加メッセージの前記ＯＳへの通知を遮断し、該判断手段で前記入力手段で入力した識別情報と一致する識別情報が前記ネットワーク参加メッセージ中に記述されていると判断した場合には、当該ネットワーク参加メッセージを前記ＯＳへ通知する制御手段と
を備えることを特徴とする情報処理装置。
【請求項２】
更に、前記入力手段で前記識別情報の入力から所定時間内に、入力した識別情報と一致する記述を含むネットワーク参加メッセージを受信しなかった場合、及び、一致する識別情報を含むネットワーク参加メッセージを受信した場合、前記入力手段で入力した識別情報を消去する消去手段を備えることを特徴とする請求項１に記載の情報処理装置。
【請求項３】
ネットワーク通信手段を介してネットワークデバイスを検出し、当該検出されたネットワークデバイスに対応するデバイスドライバを自動インストールするＯＳを搭載した情報処理装置の制御方法であって、
デバイスドライバをインストールしようとしているネットワークデバイスを一時的に認識するための識別情報を入力する入力工程と、
ネットワーク上のネットワークデバイスが発行するネットワーク参加メッセージを前記ネットワーク通信手段を介して受信した場合、当該ネットワーク参加メッセージ中に、前記入力工程で入力された識別情報と一致する識別情報が記述されているか否かを判断する判断工程と、
該判断工程で、前記入力工程で入力した識別情報と一致する識別情報が前記ネットワーク参加メッセージ中に記述されていないと判断した場合には、当該ネットワーク参加メッセージの前記ＯＳへの通知を遮断し、該判断工程で前記入力工程で入力した識別情報と一致する識別情報が前記ネットワーク参加メッセージ中に記述されていると判断した場合には、当該ネットワーク参加メッセージを前記ＯＳへ通知する制御工程と
を備えることを特徴とする情報処理装置の制御方法。
【請求項４】
ネットワーク通信手段を介してネットワークデバイスを検出し、当該検出されたネットワークデバイスに対応するデバイスドライバを自動インストールするＯＳを搭載したコンピュータである情報処理装置が実行するコンピュータプログラムであって、
前記コンピュータを、
デバイスドライバをインストールしようとしているネットワークデバイスを一時的に認識するための識別情報を入力する入力手段と、
ネットワーク上のネットワークデバイスが発行するネットワーク参加メッセージを前記ネットワーク通信手段を介して受信した場合、当該ネットワーク参加メッセージ中に、前記入力手段で入力された識別情報と一致する識別情報が記述されているか否かを判断する判断手段と、
該判断手段で前記入力手段で入力した識別情報と一致する識別情報が前記ネットワーク参加メッセージ中に記述されていないと判断した場合には、当該ネットワーク参加メッセージの前記ＯＳへの通知を遮断し、該判断手段で前記入力手段で入力した識別情報と一致する識別情報が前記ネットワーク参加メッセージ中に記述されていると判断した場合には、当該ネットワーク参加メッセージを前記ＯＳへ通知する制御手段
として機能させることを特徴とするコンピュータプログラム。
【請求項５】
請求項４に記載のコンピュータプログラムを格納したことを特徴とするコンピュータ可読記憶媒体。
【請求項６】
接続されたネットワークからの要求に応えて所定の処理を実行するネットワークデバイスであって、
デバイスドライバをインストールする情報処理装置に一時的に自身を認識させるための識別情報を入力する入力手段と、
該入力手段で入力された識別情報を記述したネットワーク参加メッセージを前記ネットワーク上に送信する第１の送信手段と、
前記ネットワークからのネットワークデバイスに関する情報の要求があった場合、当該要求された情報をメッセージとして、要求元の装置に送信する第２の送信手段と
を備えることを特徴とするネットワークデバイス。
【請求項７】
接続されたネットワークからの要求に応えて所定の処理を実行するネットワークデバイスの制御方法であって、
デバイスドライバをインストールする情報処理装置に一時的に自身を認識させるための識別情報を入力する入力工程と、
該入力工程で入力された識別情報を記述したネットワーク参加メッセージを前記ネットワーク上に送信する第１の送信工程と、
前記ネットワークからのネットワークデバイスに関する情報の要求があった場合、当該要求された情報をメッセージとして、要求元の装置に送信する第２の送信工程と
を備えることを特徴とするネットワークデバイスの制御方法。
【請求項８】
ネットワークに接続された少なくとも１つのネットワークデバイスと、ネットワーク通信手段を介して前記ネットワークデバイスを検出し、該当検出されたネットワークデバイスに対応するデバイスドライバを自動インストールするＯＳを搭載した情報処理装置とで構成される情報処理システムであって、
前記情報処理装置は、
デバイスドライバをインストールしようとしているネットワークデバイスを一時的に認識するための識別情報を入力する第１の入力手段と、
ネットワーク上のネットワークデバイスが発行するネットワーク参加メッセージを前記ネットワーク通信手段を介して受信した場合、当該ネットワーク参加メッセージ中に、前記第１の入力手段で入力された識別情報と一致する識別情報が記述されているか否かを判断する判断手段と、
該判断手段で、前記第１の入力手段で入力した識別情報と一致する識別情報が前記ネットワーク参加メッセージ中に記述されていないと判断した場合には、当該ネットワーク参加メッセージの前記ＯＳへの通知を遮断し、該判断手段で前記入力手段で入力した識別情報と一致する識別情報が前記ネットワーク参加メッセージ中に記述されていると判断した場合には、当該ネットワーク参加メッセージを前記ＯＳへ通知する制御手段とを備え、
前記ネットワークデバイスは、
デバイスドライバをインストールする情報処理装置に一時的に自身を認識させるための識別情報を入力する第２の入力手段と、
該第２の入力手段で入力された識別情報を記述したネットワーク参加メッセージを前記ネットワーク上に送信する第１の送信手段と、
前記ネットワークからのネットワークデバイスに関する情報の要求があった場合、当該要求された情報をメッセージとして、要求元の装置に送信する第２の送信手段とを備える
ことを特徴とする情報処理システム。
【請求項９】
ネットワーク通信手段を介してネットワークデバイスを検出し、当該検出したネットワークデバイスに対応するデバイスドライバを自動インストールするＯＳを搭載した情報処理装置であって、
デバイスドライバをインストールしようとしているネットワークデバイスを一時的に認識するための識別情報を入力する入力手段と、
デバイスドライバをインストールしようとするネットワークデバイスの種類を示す情報を記述したネットワークデバイス探索メッセージを前記ネットワーク通信手段を介して送信した後に受信した応答メッセージ中に、前記入力手段で入力された識別情報と一致する識別情報が記述されているか否かを判断する判断手段と、
該判断手段で前記入力手段で入力した識別情報と一致する識別情報が前記ネットワーク参加メッセージ中に記述されていないと判断した場合には、前記応答メッセージの前記ＯＳへの通知を遮断し、該判断手段で前記入力手段で入力した識別情報と一致する識別情報が前記応答メッセージ中に記述されていると判断した場合には、当該応答メッセージを前記ＯＳへ通知する制御手段と
を備えることを特徴とする情報処理装置。
【請求項１０】
更に、前記入力手段で前記識別情報の入力から所定時間内に、入力した識別情報と一致する記述を含む前記応答メッセージを受信しなかった場合、及び、一致する識別情報を含む応答メッセージを受信した場合、前記入力手段で入力した識別情報を消去する消去手段を備えることを特徴とする請求項９に記載の情報処理装置。
【請求項１１】
ネットワーク通信手段を介してネットワークデバイスを検出し、当該検出したネットワークデバイスに対応するデバイスドライバを自動インストールするＯＳを搭載した情報処理装置の制御方法であって、
デバイスドライバをインストールしようとしているネットワークデバイスを一時的に認識するための識別情報を入力する入力工程と、
デバイスドライバをインストールしようとするネットワークデバイスの種類を示す情報を記述したネットワークデバイス探索メッセージを前記ネットワーク通信手段を介して送信した後に受信した応答メッセージ中に、前記入力工程で入力された識別情報と一致する識別情報が記述されているか否かを判断する判断工程と、
該判断工程で前記入力工程で入力した識別情報と一致する識別情報が前記応答メッセージ中に記述されていないと判断した場合には、当該応答メッセージの前記ＯＳへの通知を遮断し、該判断工程で前記入力工程で入力した識別情報と一致する識別情報が前記応答メッセージ中に記述されていると判断した場合には、当該応答メッセージを前記ＯＳへ通知する制御工程と
を備えることを特徴とする情報処理装置の制御方法。
【請求項１２】
ネットワーク通信手段を搭載可能で、当該ネットワーク通信手段を介してネットワークデバイスを検出し、該当するデバイスドライバを自動インストールするＯＳを搭載したコンピュータである情報処理装置が実行するコンピュータプログラムであって、
前記コンピュータを、
デバイスドライバをインストールしようとしているネットワークデバイスを一時的に認識するための識別情報を入力する入力手段と、
デバイスドライバをインストールしようとするネットワークデバイスの種類を示す情報を記述したネットワークデバイス探索メッセージを前記ネットワーク通信手段を介して送信した後に受信した応答メッセージ中に、前記入力手段で入力された識別情報と一致する識別情報が記述されているか否かを判断する判断手段と、
該判断手段で前記入力手段で入力した識別情報と一致する識別情報が前記応答メッセージ中に記述されていないと判断した場合には、当該応答メッセージの前記ＯＳへの通知を遮断し、該判断手段で前記入力手段で入力した識別情報と一致する識別情報が前記応答メッセージ中に記述されていると判断した場合には、当該ネットワーク参加メッセージを前記ＯＳへ通知する制御手段
として機能させることを特徴とするコンピュータプログラム。
【請求項１３】
請求項１２に記載のコンピュータプログラムを格納したことを特徴とするコンピュータ可読記憶媒体。
【請求項１４】
接続されたネットワークからの要求に応えて所定のサービス処理を実行するネットワークデバイスであって、
デバイスドライバをインストールする情報処理装置に一時的に自身を認識させるための識別情報を入力する入力手段と、
ネットワークから、自身が処理するサービス処理と同じサービスを行うネットワークデバイスの検索メッセージを受信した場合、前記入力手段で入力された識別情報を記述した応答メッセージを発信元に送信する第１の送信手段と、
前記ネットワークからの自身宛てのネットワークデバイスに関する情報の要求メッセージを受信した場合、当該要求メッセージで要求された情報を記述した応答メッセージを、前記要求メッセージの要求元の装置に送信する第２の送信手段と
を備えることを特徴とするネットワークデバイス。
【請求項１５】
接続されたネットワークからの要求に応えて所定のサービス処理を実行するネットワークデバイスの制御方法であって、
デバイスドライバをインストールする情報処理装置に一時的に自身を認識させるための識別情報を入力する入力工程と、
ネットワークから、自身が処理するサービス処理と同じサービスを行うネットワークデバイスの検索メッセージを受信した場合、前記入力工程で入力された識別情報を記述した応答メッセージを発信元に送信する第１の送信工程と、
前記ネットワークからの自身宛てのネットワークデバイスに関する情報の要求メッセージを受信した場合、当該要求メッセージで要求された情報を記述した応答メッセージを、前記要求メッセージの要求元の装置に送信する第２の送信工程と
を備えることを特徴とするネットワークデバイスの制御方法。
【請求項１６】
ネットワークに接続された少なくとも１つのネットワークデバイスと、ネットワーク通信手段を介して前記ネットワークデバイスを検出し、該当検出されたネットワークデバイスに対応するデバイスドライバを自動インストールするＯＳを搭載した情報処理装置とで構成される情報処理システムであって、
前記情報処理装置は、
デバイスドライバをインストールしようとしているネットワークデバイスを一時的に認識するための識別情報を入力する第１の入力手段と、
デバイスドライバをインストールしようとするネットワークデバイスの種類を示す情報を記述したネットワークデバイス探索メッセージを前記ネットワーク通信手段を介して送信した後に受信した応答メッセージ中に、前記入力手段で入力された識別情報と一致する識別情報が記述されているか否かを判断する判断手段と、
該判断手段で前記入力手段で入力した識別情報と一致する識別情報が前記応答メッセージ中に記述されていないと判断した場合には、当該応答メッセージの前記ＯＳへの通知を遮断し、該判断手段で前記入力手段で入力した識別情報と一致する識別情報が前記応答メッセージ中に記述されていると判断した場合には、当該ネットワーク参加メッセージを前記ＯＳへ通知する制御手段とを備え、
前記ネットワークデバイスは、
デバイスドライバをインストールする情報処理装置に一時的に自身を認識させるための識別情報を入力する第２の入力手段と、
ネットワークから、自身が処理するサービス処理と同じサービスを行うネットワークデバイスの検索メッセージを受信した場合、前記第２の入力手段で入力された識別情報を記述した応答メッセージを発信元に送信する第１の送信手段と、
前記ネットワークからの自身宛てのネットワークデバイスに関する情報の要求メッセージを受信した場合、当該要求メッセージで要求された情報を記述した応答メッセージを、前記要求メッセージの要求元の装置に送信する第２の送信手段とを備える
ことを特徴とする情報処理システム。
【請求項１７】
ネットワーク通信手段を介してネットワークデバイスを検出し、当該検出されたネットワークデバイスに対応するソフトウェアを自動インストールするＯＳを搭載した情報処理装置であって、
ソフトウェアをインストールしようとしているネットワークデバイスを一時的に認識するための識別情報を入力する入力手段と、
ネットワーク上のネットワークデバイスが発行するネットワーク参加メッセージを前記ネットワーク通信手段を介して受信した場合、当該ネットワーク参加メッセージ中に、前記入力手段で入力された識別情報と一致する識別情報が記述されているか否かを判断する判断手段と、
該判断手段で前記入力手段で入力した識別情報と一致する識別情報が前記ネットワーク参加メッセージ中に記述されていないと判断した場合には、当該ネットワーク参加メッセージの前記ＯＳへの通知を遮断し、該判断手段で前記入力手段で入力した識別情報と一致する識別情報が前記ネットワーク参加メッセージ中に記述されていると判断した場合には、当該ネットワーク参加メッセージを前記ＯＳへ通知する制御手段と
を備えることを特徴とする情報処理装置。
【請求項１８】
ネットワーク通信手段を介してネットワークデバイスを検出し、当該検出されたネットワークデバイスに対応するソフトウェアを自動インストールするＯＳを搭載した情報処理装置の制御方法であって、
ソフトウェアをインストールしようとしているネットワークデバイスを一時的に認識するための識別情報を入力する入力工程と、
ネットワーク上のネットワークデバイスが発行するネットワーク参加メッセージを前記ネットワーク通信手段を介して受信した場合、当該ネットワーク参加メッセージ中に、前記入力工程で入力された識別情報と一致する識別情報が記述されているか否かを判断する判断工程と、
該判断工程で前記入力工程で入力した識別情報と一致する識別情報が前記ネットワーク参加メッセージ中に記述されていないと判断した場合には、当該ネットワーク参加メッセージの前記ＯＳへの通知を遮断し、該判断工程で前記入力工程で入力した識別情報と一致する識別情報が前記ネットワーク参加メッセージ中に記述されていると判断した場合には、当該ネットワーク参加メッセージを前記ＯＳへ通知する制御工程と
を備えることを特徴とする情報処理装置の制御方法。
【請求項１９】
ネットワーク通信手段を介してネットワークデバイスを検出し、当該検出されたネットワークデバイスに対応するソフトウェアを自動インストールするＯＳを搭載したコンピュータである情報処理装置が実行するコンピュータプログラムであって、
前記コンピュータを、
ソフトウェアをインストールしようとしているネットワークデバイスを一時的に認識するための識別情報を入力する入力手段と、
ネットワーク上のネットワークデバイスが発行するネットワーク参加メッセージを前記ネットワーク通信手段を介して受信した場合、当該ネットワーク参加メッセージ中に、前記入力手段で入力された識別情報と一致する識別情報が記述されているか否かを判断する判断手段と、
該判断手段で前記入力手段で入力した識別情報と一致する識別情報が前記ネットワーク参加メッセージ中に記述されていないと判断した場合には、当該ネットワーク参加メッセージの前記ＯＳへの通知を遮断し、該判断手段で前記入力手段で入力した識別情報と一致する識別情報が前記ネットワーク参加メッセージ中に記述されていると判断した場合には、当該ネットワーク参加メッセージを前記ＯＳへ通知する制御手段
として機能させることを特徴とするコンピュータプログラム。
【請求項２０】
請求項１９に記載のコンピュータプログラムを格納したことを特徴とするコンピュータ可読記憶媒体。
【手続補正２】
【補正対象書類名】明細書
【補正対象項目名】００１３
【補正方法】変更
【補正の内容】
【００１３】
この課題を解決するため、例えば本発明の情報処理装置は以下の構成を備える。すなわち、
ネットワーク通信手段を介してネットワークデバイスを検出し、当該検出されたネットワークデバイスに対応するデバイスドライバを自動インストールするＯＳを搭載した情報処理装置であって、
デバイスドライバをインストールしようとしているネットワークデバイスを一時的に認識するための識別情報を入力する入力手段と、
ネットワーク上のネットワークデバイスが発行するネットワーク参加メッセージを前記ネットワーク通信手段を介して受信した場合、当該ネットワーク参加メッセージ中に、前記入力手段で入力された識別情報と一致する識別情報が記述されているか否かを判断する判断手段と、
該判断手段で前記入力手段で入力した識別情報と一致する識別情報が前記ネットワーク参加メッセージ中に記述されていないと判断した場合には、当該ネットワーク参加メッセージの前記ＯＳへの通知を遮断し、該判断手段で前記入力手段で入力した識別情報と一致する識別情報が前記ネットワーク参加メッセージ中に記述されていると判断した場合には、当該ネットワーク参加メッセージを前記ＯＳへ通知する制御手段とを備える。